(57)【特許請求の範囲】
【請求項１】
貯蔵物を収納する貯蔵室と、前記貯蔵室の背壁の少なくとも一部に配されて光を反射する金属製の部材と、前記貯蔵室の天井部に設けられる照明灯とを備え、冷気が流通する冷気通路を前記部材の少なくとも一部により形成するとともに、前記部材に複数の凹凸形状を設けて前記照明灯の光を前記部材の表面及び前記凹凸形状の上面で反射させることを特徴とする冷蔵庫。
【請求項２】
前記凹凸形状は、前記部材の表面上を略水平方向に延びて突出する複数の突出部から成ることを特徴とする請求項１に記載の冷蔵庫。
【発明の詳細な説明】
【０００１】
【発明の属する技術分野】
本発明は冷蔵庫に関し、特に、貯蔵物を収納する貯蔵室の照明に関する。
【０００２】
【従来の技術】
従来の冷蔵庫は冷蔵室や冷凍室等の貯蔵室の内壁は樹脂成形品により形成され、該内壁の一部に照明灯が設置されている。貯蔵室の前面には開閉可能な断熱扉が配されており、断熱扉を開成した際に照明灯が点灯して貯蔵室内が照らされる。これにより、貯蔵室内に収納される食品等の貯蔵物を容易に取出すことができるようになっている。
【０００３】
【発明が解決しようとする課題】
しかしながら、上記の従来の冷蔵庫によると、照明灯により照射される光量が少ないと貯蔵室内が暗くなって貯蔵物の判別が困難になり、使用性を悪化させる要因となる。このため、貯蔵室内の明るさを充分得るために照明灯の光量を増加させると、消費電力の大きな照明灯が必要であり、冷蔵庫の消費電力が大きくなる問題があった。
【０００４】
本発明は、貯蔵室内の充分な明るさを確保するとともに、消費電力を低減することのできる冷蔵庫を提供することを目的とする。
【０００５】
【課題を解決するための手段】
上記目的を達成するために本発明は、貯蔵物を収納する貯蔵室と、前記貯蔵室の背壁の少なくとも一部に配されて光を反射する金属製の部材と、前記貯蔵室の天井部に設けられる照明灯とを備え、冷気が流通する冷気通路を前記部材の少なくとも一部により形成するとともに、前記部材に複数の凹凸形状を設けて前記照明灯の光を前記部材の表面及び前記凹凸形状の上面で反射させることを特徴としている。この構成によると、貯蔵室内を照らす外部等からの光の一部及び照明灯からの光は貯蔵室の内壁に到達し、前記部材により貯蔵室内に向けて反射する。
【０００６】
また本発明は、上記構成の冷蔵庫において、前記凹凸形状は、前記部材の表面上を略水平方向に延びて突出する複数の突出部から成ることを特徴としている。
【００１１】
【発明の実施の形態】
以下に本発明の実施形態を図面を参照して説明する。図１は第１実施形態の冷蔵庫を示す側面断面図である。冷蔵庫１は外部を覆う外箱２ａの内側に内箱２ｂが配され、外箱２ａと内箱２ｂとの隙間には発泡ウレタン等の断熱部材２ｃが充填されている。冷蔵庫１の内部は上から冷蔵室１１、野菜室１２、冷凍室１３の順に区分けされている。
【００１２】
野菜室１２と冷凍室１３は断熱部材から成る仕切枠１７及び断熱部材から成る仕切板１９に仕切られており、冷凍室１３は更に断熱部材から成る仕切枠１８により上部と下部に仕切られている。冷蔵室１１と野菜室１２は断熱部材から成る仕切枠１６及び樹脂成形品から成る仕切板３１、３２によって仕切られている。仕切板３２には貫通口３２ａが設けられている。
【００１３】
冷蔵室１１の下部には仕切板４６で仕切られる隔離室である氷温室１４が設けられている。冷蔵室１１には複数の棚４５が設けられている。冷蔵室１１の前面は回動式の断熱扉３により開閉可能になっている。野菜室１２、冷凍室１３の上部及び冷凍室１３の下部は前面が夫々スライド式の断熱扉４、５、６により開閉可能になっており、収納容器５４、５５、５６を引出せるようになっている。
【００１４】
冷凍室１３の後部には圧縮機２０が配されている。圧縮機２０には吐出パイプ２０ａを介して凝縮器（不図示）が連結されており、吸込パイプ２０ｂを介して冷却器２１、２５が直列に連結されている。凝縮器と冷却器２５は第１キャピラリーチューブ（不図示）を介して連結されている。冷却器２１、２５の間には第２キャピラリーチューブ（不図示）が配されている。
【００１５】
これにより冷凍サイクルが構成され、冷凍サイクル運転が行われると冷却器２１、２５が冷却されるようになっている。冷却器２１、２５の下方には冷却器２１、２５の除霜を行う除霜ヒータ６１、６２が設けられている。６３、６４はドレン受け部材である。
【００１６】
また、凝縮器と第１キャピラリーチューブとの間には切換手段が設けられ、切換手段と冷却器２１とが第３キャピラリーチューブ（不図示）を介して連結されている。そして、切換手段を切り替えることにより、冷却器２１のみの冷却を可能にしている。
【００１７】
冷却器２１は冷気通路２３内に配されており、冷気通路２３は内箱２ｂと樹脂成形品から成るエバカバー３３とにより形成されている。冷気通路２３内の冷却器２１の上方には送風機２２が配されている。冷気通路２３は背面板３３ａに設けられた冷凍室１３への流入口１３ａ及び流出口１３ｂにより冷凍室１３と連通している。
【００１８】
冷却器２５は冷気通路２７内に配されている。冷気通路２７の下部は内箱２ｂと野菜室１２の背面板３４とにより形成されている。背面板３４は断熱部材から成り、冷却器２５に近設される野菜室１２の過冷却を防止している。冷気通路２７内の冷却器２５の上方には送風機２６が配されている。冷気通路２７は流出口１２ｂにより野菜室１２と連通している。
【００１９】
冷気通路２７の上部は氷温室１４の背面板３５に固着される断熱部材３６と内箱２ｂとにより形成されている。断熱部材３６には開口部３６ａが設けられている。冷蔵室１１の正面図を図２に示すと、背面板３５には開口部３６ａと同じ位置に開口部３５ａが設けられている。開口部３５ａ、３６ａにより氷温室１４は冷気通路２７と連通している。
【００２０】
冷気通路２７の上端には送風機２９が配されている。送風機２９の前面には冷蔵室１１に臨む送風機カバー４１が取り付けられている。送風機カバー４１には複数の開口部４１ａが形成されている。送風機２９の上方には冷気通路２８が設けられている。
【００２１】
冷蔵室１１の背面部分の冷気通路２８は冷蔵室１１の内壁を形成する部材４２と内箱２ｂとにより形成されている。部材４２は図５に示すような金属等の光を反射する光反射部材から成っており、加工性が良く防錆効果の高いアルミニウム合金やステンレス等が使用されている。
【００２２】
部材４２の上下端は内箱２ｂに固定される取付部材７１及び背面板３５に設けられた取付部３５ｂにより係止されている。これにより部材４２は着脱自在になっており、冷気通路２８や部材４２の冷気通路２８側の清掃等を容易に行うことができるようになっている。
【００２３】
冷蔵室１１の天井部分の冷気通路２８は樹脂成形品から成る上面板４３と内箱２ｂにより形成されている。部材４２及び上面板４３には開口部４２ａ、４３ａ（図２参照）が設けられている。また、冷蔵室１１の天井中央部には透明な照明カバー５３で覆われる照明灯５１が設けられている。尚、野菜室１２及び冷凍室１３には他の照明灯を設けてもよい。
【００２４】
送風機２９部分の詳細図を図３に示すと、冷気通路２８は送風機２９により開口部４１ａを介して冷蔵室１１から取入れられる空気と、送風機２６により冷気通路２７を流通する冷気とが混流するようになっている。これにより、冷気通路２８を通る冷気を昇温して結露や氷結を防止するようになっている。
【００２５】
冷蔵室１１の上面断面図を図４に示すと、部材４２は上下に延びて内箱２ｂに形成される突起部２８ａにより背面を支持されている。これにより、前面からの押圧力に対する部材４２の屈曲を防止するとともに、冷気通路２８内を通る冷気を整流して消音と送風効率の向上が図られている。また、冷気通路２８内には脱臭部５０が設けられている。脱臭部５０は活性炭等の脱臭剤から成っており、他の脱臭方法を実行できる部材や装置を配してもよい。
【００２６】
上記構成の冷蔵庫１において、送風機２２が駆動されると、冷凍室１３内の空気は流出口１３ｂから冷気通路２３に導かれる。該空気は冷却器２１と熱交換して冷却され、流入口１３ａから冷凍室１３に流入する。これにより冷凍室１３内が冷却される。
【００２７】
送風機２６、２９が駆動されると、野菜室１２内の空気は流出口１２ｂから冷気通路２７に導かれる。該空気は冷却器２５と熱交換して冷却され、開口部４１ａから冷気通路２８に導かれる冷蔵室１１内の空気と混流される。その後、冷気通路２８内を流通して開口部４２ａ、４３ａから冷蔵室１１内に流入する。
【００２８】
また、部材４２は金属から成るので冷気通路２８内を流通する冷気の冷熱の一部は部材４２を介して冷蔵室１１内に冷熱として放出される。これにより部材４２からの冷熱と開口部４２ａ、４３ａからの冷気とで冷蔵室１１内が効率良く均一に冷却される。
【００２９】
冷蔵室１１内の空気は棚４５の間や棚４５の前面を通り氷温室１４の下方から開口部３２ａを介して冷気通路３０を流通し、野菜室１２内の前方に流入する。更に収納容器５４の前面から下方を通り、野菜室１２内が冷却される。そして、流出口１２ｂから冷却器２５の下部に導かれて冷気が循環する。
【００３０】
温度センサー（不図示）の検知結果に基づいて圧縮機２０及び送風機２６が運転及び停止され、冷蔵室１１及び野菜室１２の温度を例えば３℃に維持するようになっている。尚、冷気通路２７内を流通する一部の冷気は開口部３５ａ、３６ａから氷温室１４に流入する。これにより、氷温室１４内をより低温に冷却し、例えば−１℃に維持できるようになっている。
【００３１】
また、冷却器２５での冷却を停止して送風機２６、２９の一方または両方を運転すると、部材４２に蓄積された冷熱により冷却通路２８を通る冷気が冷却される。該冷気によって冷蔵室１１内の冷却が行われる。送風機２６を運転する場合は、更に冷却器２５の除霜をして冷蔵室１１内の加湿を行うこともできる。
【００３２】
なお、前記部材４２の厚みが厚い場合は蓄冷能力が上がり、強度も増加する。厚みが薄い場合は冷熱の放出効率が上がり、軽量化にも有利である。そのため、目的に応じて薄板材や厚板材を適時適所に選び設ければよい。
【００３３】
本実施形態によると、部材４２は冷気通路２８を通る冷気の冷熱の一部を熱伝導させて全面から冷蔵室１１内に放出する熱伝導板として機能している。従って、冷蔵室１１は広い面積から一様に放出される冷熱により均一に冷却される。
【００３４】
また、部材４２を図６に示すようなゼリー状や液状の保冷材４２ｃを上記と同様の光反射部材から成る包装材４２ｆ、４２ｇにより封入した蓄冷部材にしてもよい。このようにすると、部材４２は冷気通路２８内を流通する冷気の冷熱でより蓄冷され、冷蔵室１１内の温度分布に応じて冷熱として放出する。従って、冷蔵室１１が均一に冷却されるようになる。
【００３５】
更に、蓄冷部材により圧縮機２０の停止中や冷気通路２８内の冷気温度の変動に対して吸熱や放熱を行い、冷気通路２８内の冷気温度を維持することができるようになる。この時、蓄冷部材が冷蔵室１１の内壁を形成しているので冷蔵室１１のスペースを広くすることができ、冷蔵庫１の省スペース化を図ることができる。包装材４２ｃ、４２ｄを熱伝導性を有するアルミニウム合金やステンレスにするとより望ましい。
【００３６】
また、冷却器２５によって低温に生成される冷気は冷蔵室１１内の空気と混合することにより若干昇温される。これにより、部材４２に生じる結露や氷結を防止することができ、冷蔵室１１及び野菜室１２の乾燥を防止することができる。
【００３７】
そして、冷蔵室１１及び野菜室１２を冷却する冷却器２５と冷凍室１３を冷却する冷却器２１を設けることにより、冷気通路２７、２８を流通する冷気の温度を冷気通路２３内の冷気の温度より高く設定することができる。これにより、部材４２に生じる結露や氷結をより防止することができ、冷蔵室１１及び野菜室１２の乾燥を更に防止することができる。
【００３８】
また、部材４２は冷蔵室１１の背面に立設されて上下方向に延在している。このため、断熱扉３の開閉回数が多く冷蔵室１１内の温度や湿度が非常に上昇した際に、部材４２に結露して水滴が生じても貯蔵物上に直接滴下することがない。従って、貯蔵物を傷めず、良好な保存状態を維持できる。
【００３９】
この時、冷却器２５で冷却された冷気通路２８内の冷気の送風を停止すると、部材４２が冷蔵室１１内の温度に近づくとともに温度上昇により冷却室１１内が乾燥する。これにより、該水滴は部材４２や背面板３５を流下する間に一部が蒸発する。従って、再び冷蔵室１１内の湿度を上昇させることができる。さらに、前記部材４２の前方に空気流通可能な多孔性（例えば、小判穴、丸穴等）のフェンス状の防護壁を設けると、部材４２がさらに薄くできるので、冷熱の放出効果が向上し、キズ付防止や破損防止にもなる。
【００４０】
また、断熱扉３を開成すると照明灯５１が点灯して冷蔵室１１内が照らされる。これにより、棚４５の奥に収納された食品等の貯蔵物の取り出しが容易に行われる。そして、照明灯５１から照射される光の一部は矢印Ｄ１に示すように部材４２で殆ど吸収されずに反射して、冷蔵室１１内を照らす。
【００４１】
これにより、冷蔵室１１内をより明るくすることができ、消費電力を低減することができるようになっている。光反射部材から成る部材４２を天井面１１ａや側壁１１ｂ（図２参照）に設置してもよい。部材４２（光反射部材）は金属に限られず、樹脂上に銅メッキした後クロムメッキが施された所謂樹脂メッキにしてもよい。また、樹脂、ガラス、セラミック等の基板上に金属膜が成膜された例えばラミネートフィルム、蒸着フィルム、金属箔等の薄膜形成品にしてもよい。
【００４２】
そして、光反射部材の表面に微小な凹凸を形成すると、光が乱反射して冷蔵室１１の隅々まで明るくすることができる。また、光反射部材の表面を鏡面に形成すると反射率が向上してより明るくなるので、更に消費電力を低減することができる。
【００４３】
図７に示すように、立設される部材４２（光反射部材）の表面に水平方向に延びる突出部４２ｄを形成して複数の凹凸を設けてもよい。このようにすると、照明灯５１によって上方から光反射部材に照射される光は、光反射部材の表面で反射するとともに一部は突出部４２ｄの上面４２ｅでも反射される。
【００４４】
このため、冷蔵室１１内はより多くの方向から照らされて冷蔵室１１内をより明るくすることができる。この時、光反射部材を側壁１１ｂ（図２参照）に設置しても同様の効果を得ることができる。
【００４５】
部材４２の表面に凹凸形状をプレス加工等により設けると、表面積を増加させることができる。これにより蓄冷や冷熱の放出量が増加して冷却効率の向上を図ることができる。更に、線状に連続する凹部または凸部を設けることにより、部材４２の強度を補強することができる。
【００４６】
また、部材４２を金属等の熱伝導性を有する材料により形成した場合には、照明灯５１の発熱による輻射熱が部材４２に達して部材４２を熱伝導する。これにより、部材４２の結露や氷結を防止することができる。
【００４７】
次に、図８は第２実施形態の冷蔵庫を示す断面図である。説明の便宜上図１〜図３の第１実施形態と同一の部分には同一の符号を付している。冷蔵庫１は外部を覆う外箱２ａの内側に内箱２ｂが配され、外箱２ａと内箱２ｂとの隙間には発泡ウレタン等の断熱部材２ｃが充填されている。冷蔵庫１の内部は上から冷蔵室１１、野菜室１２、冷凍室１３の順に区分けされている。
【００４８】
野菜室１２と冷凍室１３は断熱部材から成る仕切枠１７及び断熱部材から成る仕切板１９に仕切られており、冷凍室１３は更に断熱部材から成る仕切枠１８により上部と下部に仕切られている。冷蔵室１１と野菜室１２は断熱部材から成る仕切枠１６及び樹脂成形品から成る仕切板３１、３２によって仕切られている。仕切板３２には貫通口３２ａが設けられている。
【００４９】
冷蔵室１１の下部には仕切板４６で仕切られる隔離室である氷温室１４が設けられている。冷蔵室１１には複数の棚４５が設けられている。冷蔵室１１の前面は回動式の断熱扉３により開閉可能になっている。野菜室１２、冷凍室１３の上部及び冷凍室１３の下部は前面が夫々スライド式の断熱扉４、５、６により開閉可能になっており、収納容器５４、５５、５６を引出せるようになっている。
【００５０】
冷凍室１３の後部には圧縮機２０が配されている。圧縮機２０には吐出パイプ２０ａを介して凝縮器（不図示）が連結されており、吸込パイプ２０ｂを介して冷却器２１が連結されている。凝縮器と冷却器２１はキャピラリーチューブ（不図示）を介して連結されている。
【００５１】
これにより冷凍サイクルが構成され、冷凍サイクル運転が行われると冷却器２１が冷却されるようになっている。冷却器２１の下方には冷却器２１の除霜を行う除霜ヒータ６２が設けられている。６４はドレン受け部材である。
【００５２】
冷却器２１は冷気通路２３内に配されており、冷気通路２３の下部は内箱２ｂと樹脂成形品から成るエバカバー３３とにより形成されている。冷気通路２３内の冷却器２１の上方には送風機２２が配されている。冷気通路２３は背面板３３ａに設けられた流入口１３ａ、１３ｃ及び流出口カバー３３ｂに設けられた流出口１３ｂにより冷凍室１３と連通している。
【００５３】
野菜室１２の背面は前述の仕切板１９に覆われており、冷気通路２３の上部の圧力室２３ａはエバカバー３３と仕切板１９とにより形成されている。断熱部材から成る仕切板１９により、冷却器２１に近設される野菜室１２の過冷却を防止している。
【００５４】
冷気通路２３は送風機２２の上方に配される冷気通路２８とダンパー６５を介して連通している。冷気通路２８の下部は氷温室１４の背面板３５に固着される断熱部材３６と内箱２ｂとにより形成されている。前述の図２と同様に、背面板３５と断熱部材３６には同じ位置に開口部３５ａ、３６ａが設けられている。開口部３５ａ、３６ａにより氷温室１４は冷気通路２８と連通している。
【００５５】
冷気通路２８の上部は冷蔵室１１の内壁を形成する部材４２と内箱２ｂとにより形成されている。部材４２は第１実施形態と同様に、アルミニウム合金やステンレス等の光反射部材から形成されている（図５参照）。
【００５６】
冷蔵室１１の天井部分の冷気通路２８は樹脂成形品から成る上面板４３と内箱２ｂにより形成されている。部材４２及び上面板４３には開口部４２ａ、４３ａ（図２参照）が設けられている。また、冷蔵室１１の天井中央部には透明な照明カバー５３で覆われる照明灯５１が設けられている。尚、野菜室１２及び冷凍室１３には他の照明灯を設けてもよい。
【００５７】
上記構成の冷蔵庫１において、送風機２２が駆動されると、冷凍室１３内の空気は流出口１３ｂから冷気通路２３に導かれる。該空気は冷却器２１と熱交換して冷却され、流入口１３ａ、１３ｃから冷凍室１３に流入する。これにより冷凍室１３内が冷却される。
【００５８】
また、冷却器２１と熱交換した冷気はダンパー６５を介して冷却通路２８内を流通して開口部４２ａ、４３ａから冷蔵室１１内に流入する。これにより冷蔵室１１内が冷却される。また、冷気通路２８内を流通する冷気による冷熱の一部は部材４２を熱伝導して冷蔵室１１内に放出される。これにより冷蔵室１１内が冷却される。
【００５９】
冷蔵室１１内の空気は棚４５の間や棚４５の前面を通り氷温室１４の下方から開口部３２ａを介して冷気通路３０を流通し、野菜室１２内の前方に流入する。更に収納容器５４の前面から下方を通り、野菜室１２内が冷却される。そして、流出口（不図示）からダクト（不図示）を通り冷却器２１の下部に導かれて冷気が循環する。
【００６０】
冷蔵室１１の温度に応じてダンパー６５が開閉し、冷蔵室１１及び野菜室１２の温度を例えば３℃に維持するようになっている。尚、冷気通路２８内を流通する一部の冷気は開口部３５ａ、３６ａから氷温室１４に流入する。これにより、氷温室１４内をより低温に冷却し、例えば−１℃に維持できるようになっている。
【００６１】
第１実施形態と同様に、断熱扉３を開成すると照明灯５１が点灯して冷蔵室１１内が照らされ、光の一部は矢印Ｄ１に示すように部材４２で殆ど吸収されずに反射して、冷蔵室１１内を照らす。これにより、冷蔵室１１内をより明るくすることができ、消費電力を低減することができる。また、部材４２（光反射部材）は所謂樹脂メッキや薄膜形成品にしてもよい。更に、光反射部材の表面を鏡面または光が乱反射するように形成するとより望ましい。
【００６２】
次に、図９、図１０は第３実施形態の冷蔵庫１の冷蔵室１１を示す正面図及び上面断面図である。説明の便宜上、図１〜図３の第１実施形態と同一の部分には同一の符号を付している。本実施形態は、照明灯５１（図１参照）に替えて照明灯５２を冷蔵室１１の背面に配しており、照明灯５２は透明の照明カバー４４で覆われている。
【００６３】
そして、冷蔵室１１の背面を通る冷気通路２８は照明灯５２の両側部に設けられ、上記と同様の光反射部材から成る部材４２により前面が覆われている。その他の構成は第１実施形態と同一である。
【００６４】
このような構成によっても第１、第２実施形態と同様に、断熱扉３を開成すると照明灯５１が点灯して冷蔵室１１内が照らされ、光の一部は矢印Ｄ２に示すように部材４２で殆ど吸収されずに反射して、冷蔵室１１内を照らす。これにより、冷蔵室１１内をより明るくすることができ、消費電力を低減することができる。
【００６５】
部材４２（光反射部材）は所謂樹脂メッキや薄膜形成品にしてもよい。また、光反射部材の表面を鏡面または光が乱反射するように形成するとより望ましい。更に、送風機カバー４１（図１参照）の冷蔵室１１側の面も上記と同様に光を反射する処理を施しても良い。
【００６６】
また、部材４２を金属等の熱伝導性を有する材料により形成した場合には、部材４２上に照明灯５２が配されるため照明灯５２の発熱は直ちに部材４２を熱伝導する。これにより、第１実施形態に比してより部材４２の結露や氷結を防止することができる。
【００６７】
尚、本発明において、冷気通路を通る冷気による冷熱の一部が部材を介して貯蔵室内に放出されるとは、冷気通路を通る冷気の一部が部材から吸熱して該部材を冷却し、前記部材が貯蔵室内から吸熱して貯蔵室内を冷却することを意味する。
【００６８】
【発明の効果】
本発明によると、貯蔵室の扉を開いた際に照明灯から射出される光や外部から侵入する光の一部は内壁面に到達し、光を反射する部材により殆ど吸収されずに反射する。そして、貯蔵室内を照らすので貯蔵室内をより明るくすることができ、消費電力を低減することができる。また、光を反射する部材により冷気通路を形成しているので、光を反射させるための部材を別途設ける必要がなくコスト上昇を抑制することができる。
【００６９】
また本発明によると、光を反射する部材の表面が光を乱反射するように形成されるので、貯蔵室の隅々まで明るくすることができ、更に消費電力を低減することができる。
【００７０】
また本発明によると、貯蔵室の天井部に設けられた照明灯からの光の一部は水平に延びる突出部の上面で反射される。このため、貯蔵室内はより多くの方向から照らされて貯蔵室内をより明るくすることができる。
【図面の簡単な説明】
【図１】    本発明の第１実施形態の冷蔵庫の側面断面図である。
【図２】    本発明の第１実施形態の冷蔵庫の冷蔵室の正面図である。
【図３】    本発明の第１実施形態の冷蔵庫の要部詳細図である。
【図４】    本発明の第１実施形態の冷蔵庫の上面断面図である。
【図５】    本発明の第１実施形態の冷蔵庫の部材を示す斜視図である。
【図６】    本発明の第１実施形態の冷蔵庫の他の部材を示す斜視図である。
【図７】    本発明の第１実施形態の冷蔵庫の更に他の部材を示す斜視図である。
【図８】    本発明の第２実施形態の冷蔵庫の側面断面図である。
【図９】    本発明の第３実施形態の冷蔵庫の冷蔵室の正面図である。
【図１０】  本発明の第３実施形態の冷蔵庫の上面断面図である。
【符号の説明】
１    冷蔵庫
２ｂ  内箱
３、４、５、６  断熱扉
１１    冷蔵室
１２    野菜室
１３    冷凍室
１４    氷温室
２０    圧縮機
２１    冷却器
２２    送風機
２３、２７、２８、３０  冷気通路
２８ａ  突起部
３６    断熱部材
４２    部材
４２ｄ  突出部
４３    上面板
４４、５３  照明カバー
５４、５５、５６  収納容器
５０    脱臭部
５１、５２  照明灯
６１、６２  除霜用ヒータ
６５    ダンパー
【図１】
0003707963.tif 000002
【図２】
0003707963.tif 000003
【図３】
0003707963.tif 000004
【図４】
0003707963.tif 000005
【図５】
0003707963.tif 000006
【図６】
0003707963.tif 000007
【図７】
0003707963.tif 000008
【図８】
0003707963.tif 000009
【図９】
0003707963.tif 000010
【図１０】
0003707963.tif 000011